(57)【要約】  油の構成脂肪酸としてジホモ−γ−リノレン酸を含み、ジホモ−γ−リノレン酸に対するアラキドン酸の含有率が、重量比（アラキドン酸／ジホモ−γ−リノレン酸）で１／１３未満である微生物油。好ましくは、微生物油は、７０重量％以上のトリグリセリド含有率及び４０重量％以下の飽和脂肪酸含有率を有する。更に、その微生物油から得られるジホモ−γ−リノレン酸の低級アルコールエステル又は遊離脂肪酸が提供される。【選択図】なし【特許請求の範囲】
【請求項１】
油の構成脂肪酸としてジホモ−γ−リノレン酸を含む微生物油であって、ジホモ−γ−リノレン酸に対するアラキドン酸の重量比（アラキドン酸／ジホモ−γ−リノレン酸）が１／１３未満である微生物油。
【請求項２】
前記重量比が、１／１５以下、好ましくは１／２０以下である請求項１記載の微生物油。
【請求項３】
７０重量％以上のトリグリセリドの含有率を有する請求項１又は請求項２記載の微生物油。
【請求項４】
９０重量％以上のトリグリセリドの含有率を有する請求項３記載の微生物油。
【請求項５】
リン脂質を０．１重量％〜１０重量％含む請求項１〜請求項４のいずれか１項記載の微生物油。
【請求項６】
４０重量％以下の飽和脂肪酸の含有率を有する請求項１〜請求項５のいずれか１項記載の微生物油。
【請求項７】
微生物油が粗油であり、好ましくはトリグリセリド含有率が９０重量％以上であり、ジホモ−γ−リノレン酸に対するアラキドン酸の重量比が１／１５以下である請求項１〜請求項６のいずれか１項記載の微生物油。
【請求項８】
微生物油が精製油であり、好ましくはトリグリセリド含有率が９０重量％以上であり、ジホモ−γ−リノレン酸に対するアラキドン酸の重量比が１／２０以下である請求項１〜請求項６のいずれか１項記載の微生物油。
【請求項９】
請求項１〜請求項８のいずれか１項記載の微生物油をエステル交換反応又は加水分解反応に供することを含む方法により製造された又は得られ得る、ジホモ−γ−リノレン酸エステルを含む低級アルコールエステル組成物又はジホモ−γ−リノレン酸を含む遊離脂肪酸組成物。
【請求項１０】
ジホモ−γ−リノレン酸に対するアラキドン酸の重量比（アラキドン酸／ジホモ−γ−リノレン酸）が１／１３未満である、微生物油から得られ、ジホモ−γ−リノレン酸エステルを含む低級アルコールエステル組成物、又は、微生物油から得られ、ジホモ−γ−リノレン酸エステルを含む遊離脂肪酸組成物。
【請求項１１】
アラキドン酸含有率が７重量％以下である、請求項１〜請求項８のいずれか１項記載の微生物油、又は、請求項９若しくは請求項１０に記載の低級アルコールエステル組成物若しくは遊離脂肪酸組成物。
【請求項１２】
医薬品、好ましくは、抗アレルギー剤又は抗炎症剤として用いられる、請求項１〜請求項８のいずれか１項記載の微生物油、又は、請求項９若しくは請求項１０に記載の低級アルコールエステル組成物若しくは遊離脂肪酸組成物。
【請求項１３】
請求項１〜請求項８のいずれか１項記載の微生物油、又は、請求項９若しくは請求項１０に記載の低級アルコールエステル組成物若しくは遊離脂肪酸組成物の、食品、サプリメント、医薬品、化粧品、又は動物飼料の製造方法における使用。
【請求項１４】
請求項１〜請求項６のいずれか１項記載の微生物油を含有する微生物菌体。
【請求項１５】
請求項１４記載の微生物菌体を含む培養液。
【請求項１６】
微生物菌体の含有率が、乾燥菌体重量として２．５ｇ／リットル以上である請求項１５記載の培養液。
【請求項１７】
請求項１〜請求項６のいずれか１項記載の微生物油を０．４ｇ／リットル以上の含有率で含む請求項１５又は請求項１６記載の培養液。
【請求項１８】
培養液に、少なくとも２種類のΔ５不飽和化酵素阻害剤を添加すること、及び、
前記培養液中で、Δ５不飽和化活性が低下又は欠失した微生物を培養して、ジホモ−γ−リノレン酸含有微生物油を製造すること、
を含む、ジホモ−γ−リノレン酸含有微生物油の製造方法。
【請求項１９】
前記少なくとも２種類のΔ５不飽和化酵素阻害剤のうちのひとつが２−アミノ−Ｎ−（３−クロロフェニル）ベンズアミドである請求項１８記載の方法。
【請求項２０】
前記少なくとも２種類のΔ５不飽和化酵素阻害剤のひとつ、又は２−アミノ−Ｎ−（３−クロロフェニル）ベンズアミド以外のΔ５不飽和化酵素阻害剤は、次の一般式（Ｉ）：
【化１】
2017502114.tif 000011
（式中、Ｒ１，Ｒ２，Ｒ３，Ｒ４，Ｒ５、及びＲ６はそれぞれ独立に水素原子、炭素数１〜３のアルキル基、あるいはＲ１とＲ２、及び／又はＲ４とＲ５は一緒になってメチレン基もしくはエチレン基を表し、そしてｎ，ｍ及びＬは、０又は１を表す。）で表わされるジオキサビシクロ〔３．３．０〕オクタン誘導体；
ピペロニルブトキサイド、クルクミン、又は次の一般式（II）：
【化２】
2017502114.tif 000012
（式中、Ｒ１は低級アルキル基を示し、Ｒ２は水酸基、アルキル基、アルコキシ基、アルケニル基、又はオキシアルキル基を示す。Ｒ２が複数ある場合には、複数のＲ２は同一であっても異なっていてもよい。ｎは０〜５の整数を示す。）で表わされる化合物である請求項１８又は請求項１９記載の方法。
【請求項２１】
前記ジオキサビシクロ〔３．３．０〕オクタン誘導体が、セサミン、セサミノール、エピセサミン、エピセサミノール、セサモリン、２−（３，４−メチレンジオキシフェニル）−６−（３−メトキシ−４−ヒドロキシフェニル）−３，７−ジオキサビシクロ〔３．３．０〕オクタン、２，６−ビス−（３−メトキシ−４−ヒドロキシフェニル）−３，７−ジオキサビシクロ〔３．３．０〕オクタン、又は、２−（３，４−メチレンジオキシフェニル）−６−（３−メトキシ−４−ヒドロキシフェノキシ）−３，７−ジオキサビシクロ〔３．３．０〕オクタンである請求項２０記載の方法。
【請求項２２】
前記少なくとも２種類のΔ５不飽和化酵素阻害剤のひとつ、又は２−アミノ−Ｎ−（３−クロロフェニル）ベンズアミド以外のΔ５不飽和化酵素阻害剤が、セサミン又はクルクミンである請求項２０記載の方法。
【請求項２３】
微生物が、モルティエレラ属に属する微生物であり、かつ、遺伝的及び／又は非遺伝的に修飾されている微生物である請求項１８〜請求項２０のいずれか１項記載の方法。
【請求項２４】
請求項１〜請求項８のいずれか１項記載の微生物油から、請求項９又は請求項１０記載の低級アルコールエステル組成物又は遊離脂肪酸組成物を製造する方法であって、
（ａ）微生物油の加水分解又はアルコリシスによって、遊離脂肪酸又は低級アルコールエステルの混合物を得ること、並びに、
（ｂ）遊離脂肪酸又は低級アルコールエステルの混合物を、精製して、炭素数が少なくとも２０の脂肪酸を有する遊離脂肪酸又は低級アルコールエステル組成物を得ること、
を含む方法。
【請求項２５】
低級アルコールジホモ−γ−リノレン酸エステル又は遊離ジホモ−γ−リノレン酸を製造する方法であって、
請求項２４による低級アルコールエステル組成物又は遊離脂肪酸組成物を製造することを含み、次いで、
（ｃ）炭素数が少なくとも２０の脂肪酸を含む遊離脂肪酸又は低級アルコールエステル組成物から、逆相分配系カラムクロマトグラフィーによって、ジホモ−γ−リノレン酸の低級アルコールエステル又はジホモ−γ−リノレン酸の分画精製を行うこと、
を含む方法。
【請求項２６】
ジホモ−γ−リノレン酸を含む低級アルコールエステル又は遊離脂肪酸を製造する方法であって、
（ａ）任意には培養液中の１、２又はそれ以上のΔ５不飽和化酵素阻害剤の存在下で、ジホモ−γ−リノレン酸を生成するための培養液において、Δ５不飽和化活性が低下又は欠失したアラキドン酸生成機能を有する微生物を培養し、ジホモ−γ−リノレン酸に対するアラキドン酸の重量比が１／１３未満の微生物油を生成すること；
（ｂ）任意には微生物油の精製の後で、微生物油の加水分解又はアルコリシスにより、ジホモ−γ−リノレン酸を含有する遊離脂肪酸又は低級アルコールエステルの混合物を得ること；
（ｃ）脂肪酸又は低級アルコールエステルの混合物を精製すること、
を含む方法。
【請求項２７】
工程（ｃ）において混合物を精製して、炭素数が少なくとも２０の脂肪酸を含む脂肪酸又は低級アルコールエステル混合物を得る請求項２６記載の方法であって、更に、
（ｄ）前記精製された混合物から、逆相分配系カラムクロマトグラフィーによって、ジホモ−γ−リノレン酸又はジホモ−γ−リノレン酸の低級アルコールエステルの分画精製を行うこと、
を含む方法。
【請求項２８】
精製されたジホモ−γ−リノレン酸又はジホモ−γ−リノレン酸の低級アルコールを医薬品に組み込むことを更に含む、請求項２５、請求項２６又は請求項２７記載の方法。
【発明の詳細な説明】
【技術分野】
【０００１】
本発明は、ジホモ−γ−リノレン酸（以下、ＤＧＬＡと称する場合ある。）含有微生物油、ジホモ−γ−リノレン酸含有微生物菌体、並びにその製造方法及びその利用に関する。
【背景技術】
【０００２】
ＤＧＬＡ（８，１１，１４−エイコサトリエン酸）は魚油、海藻等における構成脂肪酸のひとつである。ＤＧＬＡは、モリティエレラ・アルピナ等の微生物においてアラキドン酸（以下、ＡＲＡと記す場合がある。）の前駆物質として生成されていることが知られている。しかしながら、トリグリセリド、ジグリセリド、モノグリセリド、リン脂質及びステロールを脂質成分として含有する微生物において、ＤＧＬＡの生成量はわずかである。ＤＧＬＡとＡＲＡは類似の化学的特徴を持つ脂肪酸である。このため、ＤＧＬＡとＡＲＡとの分離が困難である。
ＤＧＬＡを効率よく生産するために、微生物におけるＡＲＡの生成量をなるべく減らす技術が提案されている。
【０００３】
例えば、特開平５−０９１８８７号公報には、アラキドン酸生産能を有するが、Δ５不飽和化活性が低下又は欠失した微生物を培養して、ＤＧＬＡ又はＤＧＬＡを含有する脂質を生成すること、ＤＧＬＡ又はＤＧＬＡを含有する脂質を採取することを含むＤＧＬＡ又はＤＧＬＡを含有する脂質の製造方法が開示されている。また、特開平５−０９１８８７号公報では、アラキドン酸生産能を有し、かつΔ５不飽和化活性が低下又は欠失した微生物を、Δ５不飽和化酵素阻害剤、例えばセサミン等の存在下で培養することによって得られることも開示されている。
【０００４】
また国際公開第２００５／０８３１０１号には、アラキドン酸、ＤＧＬＡ等の長鎖高度不飽和脂肪酸を構成要素として含むリン脂質の製造方法が開示されている。この方法は、長鎖高度不飽和脂肪酸を構成要素として含む脂質を生産する脂質生産菌の細胞からトリグリセリドを含む油脂を抽出することによって得られた脱脂菌体から、リン脂質を抽出する工程を包含する。
【０００５】
これらの先行技術にも拘わらず、製品の満足性と使用品質の達成が技術的に困難なことから、ＤＧＬＡ富化微生物油の商業的な生産は、いまだにほとんどなされていない。
【発明の概要】
【発明が解決しようとする課題】
【０００６】
より高い純度でＤＧＬＡを含む油に対する要請はますます高まっており、前述の技術はこの要請には不充分である。
本発明の課題は、従来の方法で得られた微生物油よりもアラキドン酸含有率が低いジホモ−γ−リノレン酸含有油を効率よく得るために利用可能な微生物油及び微生物菌体を提供することであり、また、これに対応する製造方法及びその利用を提供することである。
【課題を解決するための手段】
【０００７】
本発明は以下のとおりである。
第一の態様は、油の構成脂肪酸としてジホモ−γ−リノレン酸を含む微生物油であって、ジホモ−γ−リノレン酸に対するアラキドン酸の重量比（アラキドン酸／ジホモ−γ−リノレン酸）が１／１３未満である微生物油である。
アラキドン酸／ジホモ−γ−リノレン酸の重量比は、１／１５以下であってもよく、１／２０以下であることが好ましい。
望ましくは、微生物油は、７０重量％以下、より好ましくは９０重量％以下のトリグリセリド含有率を有する。微生物油はリン脂質を、例えば０．１重量％〜１０重量％で含むことができる。
微生物油における飽和脂肪酸の含有率が４０重量％以下であることが望ましい。
【０００８】
微生物油は、粗油又は精製油であってもよい。粗油では、好ましくは、トリグリセリド含有率が９０重量％以上である。ジホモ−γ−リノレン酸に対するアラキドン酸の重量比は、望ましくは粗油において１／１５以下であり、又は、この比について本明細書で開示される他の如何なる値である。
微生物油が精製油の場合、好ましくは、トリグリセリド含有率は、９０重量％以上である。ジホモ−γ−リノレン酸に対するアラキドン酸の重量比は、望ましくは１／２０以下であり、又は、この比について本明細書で開示される他の如何なる値である。
【０００９】
更なる態様は、ジホモ−γ−リノレン酸エステルを含む低級アルコールエステル組成物、又はジホモ−γ−リノレン酸を含有する遊離脂肪酸組成物であって、これらはそれぞれ、本明細書で開示された如何なる微生物油をエステル交換反応又は加水分解反応に供することを含む方法によって、製造又は得られ得る。
更なる態様は、微生物油に由来し、ジホモ−γ−リノレン酸エステルを含有する低級アルコールエステル組成物、又は、微生物油に由来し、ジホモ−γ−リノレン酸を含有する遊離脂肪酸組成物であって、これらでは、ジホモ−γ−リノレン酸に対するアラキドン酸の重量比（アラキドン酸／ジホモ−γ−リノレン酸）が１／１３未満、又はこの比について本明細書で開示されている他の如何なる値である。
本態様のすべての微生物油、低級アルコールエステル組成物又は遊離脂肪酸組成物では、アラキドン酸含有率は、通常、７重量％以下であり、好ましくは、後述するようにより少ない。
【００１０】
本態様のすべての微生物油、低級アルコールエステル組成物又は遊離脂肪酸組成物は、医薬品としての、好ましくは、抗アレルギー剤又は抗炎症剤としての使用に提供され得る。医薬品としての本使用は、本提案の更なる態様である。この態様は、炎症若しくはアレルギー疾患の予防、治療又は寛解のための方法、又はこのような方法における使用のための物質を含み、当該方法は、本態様又は好ましい態様のすべての微生物油、低級アルコールエステル組成物又は遊離脂肪酸組成物、好ましくは、精製ジホモ−γ−リノレン酸若しくはジホモ−γ−リノレン酸の低級アルコールエステル、又はこれを含む組成物を含む医薬品を、炎症性疾患又はアレルギー疾患に罹患している又は罹患するリスクのある対象に、投与することを含む。この医薬品は、局所的に又は経口的に、好ましくは局所的に投与されてもよい。炎症性疾患又はアレルギー疾患は、アトピー性皮膚炎、アレルギー性接触皮膚炎（ＡＣＤ）、一次刺激性皮膚炎（ＩＣＤ）、光接触皮膚炎、全身性接触皮膚炎、リウマチ、乾癬、狼瘡などであってよいが、これらに限定されない。
本態様のすべての微生物油、低級アルコールエステル組成物又は遊離脂肪酸組成物は、一般に、食品、サプリメント、医薬品、化粧品、又は動物飼料を製造するための方法に用いられることができる。
【００１１】
本発明の更なる態様は、微生物細胞と組み合わせて、本明細書で定義される如何なる微生物油を含有する微生物菌体、及びこのような微生物菌体を含有する培養液である。
このような培養液では、微生物菌体の含有率は、乾燥菌体重量として２．５ｇ／リットル以上であってもよい。
望ましくは、この培養液は、０．４ｇ／リットル以上の含有率で微生物油を含む。
【００１２】
本発明の更なる態様は、このような微生物油を製造する方法、及びこれらを更に加工して、有用な製品にするための方法を提供する。
ある方法の態様は、本明細書で開示されるすべての微生物油のような、ジホモ−γ−リノレン酸含有微生物油を製造する方法であり、これは；
培養液に、Δ５不飽和化酵素阻害剤、特に２種類以上のΔ５不飽和化酵素阻害剤を添加することと、
培養液中で、Δ５不飽和化活性が低下又は欠失した微生物を培養して、ジホモ−γ−リノレン酸含有微生物油を製造することと、
を含む。
少なくとも２種のΔ５不飽和化酵素阻害剤のひとつは、アリールベンズアミドΔ５不飽和化酵素阻害剤、特に、２−アミノ−Ｎ−（３−クロロフェニル）ベンズアミドであってもよい。
【００１３】
少なくとも２種類のΔ５不飽和化酵素阻害剤のひとつ、又は２−アミノ−Ｎ−（３−クロロフェニル）ベンズアミド以外のΔ５不飽和化酵素阻害剤は、次の一般式（Ｉ）：
【００１４】
【化１】
2017502114.tif 000002
（式中、Ｒ１，Ｒ２，Ｒ３，Ｒ４，Ｒ５、及びＲ６はそれぞれ独立に水素原子、炭素数１〜３のアルキル基、あるいはＲ１とＲ２、及び／又はＲ４とＲ５は一緒になってメチレン基もしくはエチレン基を表し、そしてｎ，ｍ，Ｌは０又は１を表す。）で表わされるジオキサビシクロ〔３．３．０〕オクタン誘導体；
ピペロニルブトキサイド、クルクミン、又は次の一般式（II）：
【００１５】
【化２】
2017502114.tif 000003
【００１６】
（式中、Ｒ１は低級アルキル基を示し、Ｒ２は水酸基、アルキル基、アルコキシ基、アルケニル基又はオキシアルキル基を示す。Ｒ２が複数ある場合には、複数のＲ２は同一であっても異なっていてもよい。ｎは０〜５の整数を示す。）で表わされる化合物であることができる。
【００１７】
ジオキサビシクロ〔３．３．０〕オクタン誘導体を使用する場合、この誘導体は、セサミン、セサミノール、エピセサミン、エピセサミノール、セサモリン、２−（３，４−メチレンジオキシフェニル）−６−（３−メトキシ−４−ヒドロキシフェニル）−３，７−ジオキサビシクロ〔３．３．０〕オクタン、２，６−ビス−（３−メトキシ−４−ヒドロキシフェニル）−３，７−ジオキサビシクロ〔３．３．０〕オクタン、及び２−（３，４−メチレンジオキシフェニル）−６−（３−メトキシ−４−ヒドロキシフェノキシ）−３，７−ジオキサビシクロ〔３．３．０〕オクタンから選択されてもよい。
特に、少なくとも２種のΔ５不飽和化酵素阻害剤のひとつ、又は、２−アミノ−Ｎ−（３−クロロフェニル）ベンズアミド以外のΔ５不飽和化酵素阻害剤は、セサミン又はクルクミンであってもよい。
一般に、微生物油の供給源としてここで用いられる微生物は、最も望ましくは、モルティエレラ属に属する微生物である。これは、遺伝的に修飾されていてもいなくてもよい。
【００１８】
更なる方法の態様は、上記で提案されたいずれかの微生物油から、上記で提案された低級アルコールエステル組成物又は遊離脂肪酸組成物を製造する方法であって、本方法は：
（ａ）微生物油の加水分解又はアルコリシスにより、それぞれ、脂肪酸又は低級アルコールエステルの混合物を得ること、並びに、
（ｂ）脂肪酸又は低級アルコールエステルの混合物を、精製して、好ましくは精留により精製して、炭素数が少なくとも２０の脂肪酸を有する脂肪酸又は低級アルコールエステル組成物を得ること、
を含む。
この混合物又は組成物は、逆相分配系のカラムクロマトグラフィーのようなカラムクロマトグラフィーによって、更に精製されてもよい。例えば、低級アルコールジホモ−γ−リノレン酸エステル又は、遊離ジホモ−γ−リノレン酸は、所望の低級アルコールエステル組成物又は遊離脂肪酸組成物を製造し、逆相分配系カラムクロマトグラフィーによって、ジホモ−γ−リノレン酸の低級アルコールエステルの分画精製又はジホモ−γ−リノレン酸の分画精製を行うことによって、精製又は製造されてもよい。
【００１９】
更なる方法の態様は、ジホモ−γ−リノレン酸を含む低級アルコールエステル組成物又は遊離脂肪酸組成物を製造する方法であり、本方法は：
（ａ）任意には培養液中の１、２又はそれ以上のΔ５不飽和化酵素阻害剤の存在下で、ジホモ−γ−リノレン酸を生成するための培養液において、Δ５不飽和化活性が低下又は欠失したアラキドン酸生成機能を有する微生物を培養し、ジホモ−γ−リノレン酸に対するアラキドン酸の重量比が１／１３未満の微生物油を生成すること；
（ｂ）任意には微生物油の精製の後で、微生物油の加水分解又はアルコリシスにより、ジホモ−γ−リノレン酸を含有する脂肪酸又は低級アルコールエステルの混合物を得ること；
（ｃ）脂肪酸又は低級アルコールエステルの混合物を精製すること、
を含む。
工程（ｃ）では、混合物を精製して、炭素数が少なくとも２０の脂肪酸を含む脂肪酸又は低級アルコールエステル混合物を得てもよく、また、本方法は、更に、
（ｄ）前記精製された混合物から、逆相分配系カラムクロマトグラフィーによって、ジホモ−γ−リノレン酸又はジホモ−γ−リノレン酸の低級アルコールエステルの分画精製を行うこと、
を含んでもよい。
【００２０】
精製ジホモ−γ−リノレン酸若しくはジホモ−γ−リノレン酸の低級アルコールエステル、又はこれを含む組成物は、本明細書で記載されたように用いることができ、例えば、医薬品、好ましくは抗アレルギー剤又は抗炎症剤として、又はこれらに組み込まれて用いられることができる。
【発明の効果】
【００２１】
本発明によれば、従来法で得られる微生物油よりもアラキドン酸含有率が低いジホモ−γ−リノレン酸含有油を効率よく得るために利用可能な微生物油及び微生物菌体、並びにそれらの利用を提供することができる。
本発明によれば、従来法で得られる微生物油よりもアラキドン酸含有率が低いジホモ−γ−リノレン酸含有脂質を製造する方法、従来よりもアラキドン酸含有率が低いジホモ−γ−リノレン酸の遊離脂肪酸及びジホモ−γ−リノレン酸の低級アルコールエステルを提供することができる。
本発明の他の形態によれば、このようなジホモ−γ−リノレン酸含有脂質、ジホモ−γ−リノレン酸の遊離脂肪酸又はジホモ−γ−リノレン酸の低級アルコールエステルの用途が提供される。
【発明を実施するための形態】
【００２２】
本発明における微生物油は、油脂の構成脂肪酸としてＤＧＬＡを含み、ＤＧＬＡに対するアラキドン酸の含有量が、重量比（ＡＲＡ／ＤＧＬＡ）で１／１３未満である微生物油である。
本発明における微生物は、油の構成脂肪酸としてＤＧＬＡを含み、ＤＧＬＡに対するＡＲＡの含有量が、重量比（ＡＲＡ／ＤＧＬＡ）で１／１３未満である微生物油を含有する微生物菌体である。
【００２３】
ＤＧＬＡとＡＲＡの含有比を、重量比（ＡＲＡ／ＤＧＬＡ）として表現する場合もあるが、重量比（ＤＧＬＡ／ＡＲＡ）を用いて表現する場合もある。微生物油は、本来のＡＲＡ生成機能を有する微生物にしばしば由来するので、この機能が変異又は株の選択により低減されていてもよく、及び／又は培養中に阻害されていてもよいが、少なくとも微量のＡＲＡがしばしば存在する。
【００２４】
本発明によれば、ＤＧＬＡを含み、ＡＲＡに対するＤＧＬＡの重量比（ＤＧＬＡ／ＡＲＡ）が１３以上である微生物油と、ＤＧＬＡを含み、ＡＲＡに対するＤＧＬＡの重量比（ＤＧＬＡ／ＡＲＡ）が１３以上である微生物菌体とが提供される。ＤＧＬＡ／ＡＲＡ（重量比）が１３以上となる微生物油及び微生物菌体はこれまでに知られていない。このため、本発明の微生物油であれば、または、本発明の微生物菌体を使用することにより、従来の油よりも高いＤＧＬＡ純度でＤＧＬＡを含有し、低いＡＲＡ含有率である油を効率よく提供することができる。
【００２５】
本発明の微生物油は、ＤＧＬＡを含有する脂質を生成する微生物を適切な培地中で培養し、その微生物菌体から溶媒抽出などの方法により採取することにより得られた脂質である。一般に、脂質には、トリグリセリド、ジグリセリド、モノグリセリド、リン脂質、コレステロール等が含まれ、脂質は、主成分としてトリグリセリドで構成される。これら脂質の構成脂肪酸として、各種の脂肪酸が含まれている。本発明の微生物菌体及び微生物油では、それらの構成脂肪酸のうちのＤＧＬＡの含有率が高く、ＡＲＡの含有率が少ない。
【００２６】
本発明では、微生物菌体から、このような脂質を単に抽出することにより得られた状態である脂質の混合物を、微生物油の「粗油」と称する。この微生物油を精製してリン脂質やコレステロールを除去し、これにより、トリグリセリドの割合を高めることにより得られる微生物油が、微生物油の精製油である。本明細書において「微生物油」とは、特記しない限り、粗油と精製油の両方を意味する。一般に、目的とする脂肪酸を、加水分解又は低級アルコールエステルによるエステル化を用いて遊離脂肪酸又はその低級アルコールエステルにすることにより遊離脂肪酸型又は低級アルコールエステル型に変換し、次いで、遊離脂肪酸又はその低級アルコールエステルを精製することによって、目的とする脂肪酸の含有率を高めることができる。ＡＲＡとＤＧＬＡは炭素原子の数が同じ、即ち炭素数２０であり、二重結合数も４個と３個であるため、化合物としての性質が似ており、実生産規模によるＤＧＬＡのＡＲＡから分離がきわめて難しいことが知られている。本発明では、粗油の段階で、ＡＲＡの含有率が低い、言い換えれば、ＡＲＡとＤＧＬＡとの含有率の差が大きい微生物油を提供することができ、従って、精製油及び／製品の化学処理品において、非常に高いＤＧＬＡ／ＡＲＡを得る能力を顕著に高めることができる。
【００２７】
本明細書において「ＡＲＡ／ＤＧＬＡ」あるいは「ＤＧＬＡ／ＡＲＡ」とは、油中に含まれる脂肪酸組成の分析による、ＡＲＡとＤＧＬＡの重量比である。脂肪酸組成は、常法にしたがって求めることができる。具体的には、測定対象となる油を、低級アルコールと触媒を用いてエステル化し、脂肪酸低級アルコールエステルを得る。次いで、得られた脂肪酸低級アルコールエステルを、ガスクロマトグラフィーを用いて分析する。得られたガスクロマトグラフィーにおいて各脂肪酸に相当するピークを同定し、例えばAgilent ChemStation積分アルゴリズム（リビジョンC.01.03[37]、Agilent Technologies）を用いて、各脂肪酸のピーク面積を求める。「ピーク面積」とは、それぞれの成分のピーク面積の全ピーク面積に対する割合であって、すなわち、構成成分として種々の脂肪酸を有する油のガスクロマトグラフィー又は薄層クロマトグラフィー／水素炎イオン化検出器（ＴＬＣ／ＦＩＤ）により得られた分析チャートによって決定されたそのピークの成分の含有比率を示すものである。脂肪酸組成については、例えば実施例に示す方法に従った、ガスクロマトグラフィーにより決定した。脂質組成については、ＴＬＣ／ＦＩＤにより決定した。詳細な条件は実施例に示した。
【００２８】
本明細書において「工程」との語は、独立した工程だけではなく、他の工程と明確に区別できない場合であってもその工程の所期の目的が達成されれば、本用語に含まれる。
また本明細書において「〜」を用いて示された数値範囲は、その前後に記載される数値をそれぞれ最小値および最大値として含む範囲を示すものとする。
さらに本明細書において組成物に含まれうる各成分の量は、組成物中に各成分に該当する物質が複数存在する場合、特に断らない限り、組成物中に存在する当該複数の物質の合計量を意味する。
【００２９】
本明細書において「微生物」とは、真核生物及び原核生物の双方を包含し、具体的には、細菌、放線菌、ラン藻（シアノバクテリア）、古細菌（アーケア）、菌類、藻類、地衣類、原生動物等が挙げられる。
【００３０】
便宜上、用語「油」は、「油脂」を指し示すために本明細書では使用される。また、用語「油」及び「油脂」とは、狭義にはトリグリセリドを意味するが、本明細書においてはトリグリセリドを主成分とし、ジグリセリド、モノグリセリド、リン脂質、コレステロール、遊離脂肪酸等の他の脂質成分を含む油、例えば粗油も含む。実際には、トリグリセリド含有率は、３０重量％以上が好ましく、５０重量％以上がより好ましく、７０重量％以上が更に好ましく、９０重量％以上が更により好ましい。
【００３１】
本明細書において「粗油」とは、微生物から抽出により得られた状態の油を意味し、一般に、上述した脂質成分の混合物である。本明細書において「精製油」とは、脱ガム工程、脱酸工程、脱色工程、脱臭工程等を、これらのいくつか又はそのすべてを組み合わせて含み、リン脂質及びステロールなど目的物以外の物質を除去するための精製工程後に得られた油を意味する。当業者は、これらの用語に精通し、それらの特定の組成を参照することによって、精製微生物油から粗微生物油を区別することができる。特定の精製工程は、元々の粗微生物油から不純物の特徴的なサブセットを取り除くものであり、これは、それ自身、既に知られている微生物源の一般的な特徴であり得る。
本明細書において「微生物油」とは、特記しない限り、微生物から得られたすべての油を広く意味し、本明細書において粗油及び精製油の双方を区別することなく指称する用語として用いる。
【００３２】
本明細書において、「微生物油を含有する微生物菌体」とは、本発明の微生物油を生産する微生物を培養することにより、微生物細胞内に蓄積又は微生物細胞外へ放出された微生物油を保持する微生物菌体（バイオマス）を意味する。生菌も死菌も微生物菌体に含まれていてもよい。乾燥させた微生物菌体も含まれる。乾燥菌体との表現は、実質的に水を含まない微生物菌体の乾燥物と、残存培地成分、濾過助剤などを含有する乾燥物とを意味する。「実質的に水を含まない」とは、微生物の生存が困難となり得る水分量以下となる水分量を意味する。この量は、一般に、水分量が１５重量％以下のことであり、好ましくは１０重量％以下の水分量である。
本明細書において、「微生物菌体を含む培養液」とは、上記「微生物菌体」が培養された培養液であって、微生物菌体が培養液から分離される前の状態を意味する。
以下、本発明について説明する。
【００３３】
（１）微生物油
本発明の微生物油は、ＤＧＬＡを含み、ＤＧＬＡ／ＡＲＡ（重量比）が１３以上である。ＤＧＬＡ／ＡＲＡの値は高いほど好ましく、１５以上、２０以上、又は３０以上であることが更に好ましく、５０以上であることが更により好ましく、１００以上であることがまた更に好ましく、２００以上であることが特に好ましい。ＤＧＬＡ／ＡＲＡの値が１３未満では、微生物油におけるＡＲＡのＤＧＬＡに対する相対比率が高く、微生物油が精製等されても、残存ＡＲＡ含有率が１０重量％近くになり得るため、ＤＧＬＡの純度を充分に高くできない。微生物油におけるＤＧＬＡ／ＡＲＡの上限値については特に制限はなく、例えば、ＤＧＬＡ／ＡＲＡの値は３０００以下とすることができる。
【００３４】
微生物油におけるＤＧＬＡの含有率は、微生物油の全重量に対して、１０重量％以上とすることができ、１５重量％以上であることが好ましく、２０重量％以上であることがより好ましく、２５重量％以上が更により好ましい。微生物油は、わずかにＡＲＡを含んでもよい。微生物油におけるＡＲＡの含有率は、０．０３重量％以上、０．０１重量％以上、０．００１重量％以上、又は０．０００５重量％以上であってもよい。微生物油におけるＡＲＡの含有率は、好ましくは、１０重量％以下、又は７重量％以下である。
【００３５】
また、粗油において微生物油の全量に対するトリグリセリドの含有率は、微生物油において７０重量％以上であることが好ましく、９０重量％以上であることがより好ましい。微生物油におけるトリグリセリドの含有率が７０重量％以上であれば、吸湿性が低すぎることがなく、例えば、良好な流動性が得られ得る。微生物油中のトリグリセリドの含有率の上限値については特に制限はないが、一般にトリグリセリドの微生物油中における重量比は９９重量％以下である。微生物油におけるトリグリセリドの重量比は、１００重量％、即ち、微生物油が、グリセリド以外の成分を実質的に含まなくてもよい。微生物油のトリグリセリドを構成する脂肪酸には、炭素数１４〜２６の飽和又は不飽和の脂肪酸が挙げられる。精製油では、例えば公知の方法により、不純物を除去することにより、トリグリセリドの濃度を高めることができる。
【００３６】
粗微生物油の脂肪酸組成では、微生物油の全重量に対して、微生物油は、炭素数１８以下の脂肪酸を６０重量％以下で含むことが好ましい。この含有率は、５５重量％以下であることがより好ましく、この含有率は５０重量％以下であることが更に好ましい。粗油における炭素数１８以下の脂肪酸の含有率が低い油は、炭素数１８以下の脂肪酸を除去して脂肪酸組成を調整する必要なく、トリグリセリドとして使用できるので好ましい。このような調整は、一般に、ウィンタリング（低温処理）等の歩留りの低い方法を必要とする。
【００３７】
微生物油は、特に微生物油の粗油について、油の全重量に対して１０重量％以下のリン脂質含有率を有することが好ましく、油の全重量に対して５重量％であることがより好ましく、１重量％以下であることが更に好ましい。しかしながら、リン脂質は、いくらか存在してもよく、例えば、油の全重量に対して、０．１〜１０重量％、より好ましくは０．５〜７重量％、更に好ましくは１〜５重量％であってもよい。
【００３８】
微生物油における飽和脂肪酸は、微生物粗油の全重量に対して、４０重量％以下であることが好ましく、微生物粗油の３５重量％以下であることがより好ましい。飽和脂肪酸の含有率が低い微生物油は、例えば機能性サプリメントのようなある用途に好ましい。
微生物油の種々のパラメータについての上述した任意の値は、一般に独立して達成され得るものであり、また、好ましい微生物油を定義するために自由に組み合わせてもよいと理解されるべきである。
【００３９】
（２）微生物油の生産
微生物油は、脂質を生産することが既知の微生物を培養することによって微生物油を生産すること（以下、生産工程）、及び、得られた微生物油を微生物菌体から分離すること（分離工程）を含む製造方法により得ることができる。
ＤＧＬＡ含有脂質は、脂質を生産することが既知の微生物を培養することによって微生物油を生産すること（以下、生産工程）、及び、得られた微生物油を微生物菌体から分離すること（分離工程）を含む製造方法により得ることができる。
本発明におけるＤＧＬＡ含有脂質の製造方法又は微生物油の製造方法は、培養液に２種類以上のΔ５不飽和化酵素阻害剤を添加すること、及びΔ５不飽和化活性が低下又は欠失した微生物を培養液中で培養して、ジホモ−γ−リノレン酸を含有する脂質を生成することを含む、方法であってもよい。
【００４０】
あるいは、本発明におけるＤＧＬＡ含有脂質の製造方法又は微生物油の製造方法は、培養液に２種類以上のΔ５不飽和化酵素阻害剤を添加すること、及びアラキドン酸を生産可能な微生物を変異することにより得られたΔ５不飽和化活性が低下又は欠失した微生物を、培養液中で培養して、ジホモ−γ−リノレン酸を含有する脂質を生成することを含む方法であってもよい。
言い換えれば、本発明におけるＤＧＬＡ含有脂質の製造方法又は微生物油の製造方法は、アラキドン酸を生産可能な微生物を変異させることにより得られ、Δ５不飽和化活性が低下又は欠失した微生物を培養することによって、脂質中のジホモ−γ−リノレン酸に対するアラキドン酸の含有率が低い脂質を製造する方法であって、微生物の培養液に、例えば２種類のΔ５不飽和化酵素阻害剤を添加することを含む方法であってもよい。
【００４１】
生産工程で用いられる脂質生産が既知の微生物は、好ましくは、モルティエレラ（Mortierella）属、コニディオボラス（Conidiobolus）属、フィチウム（Pythium）属、フィトフトラ（Phytophthora）属、ペニシリューム（Penicillium）属、クラドスポリューム（Cladosporium）属、ムコール（Mucor）属、フザリューム（Fusarium）属、アスペルギルス（Aspergillus）属、ロードトルラ（Rhodotorula）属、エントモフトラ（Entomophthora）属、エキノスポランジウム（Echinosporangium）属、及びサプロレグニア（Saprolegnia）属の微生物からなる群から選択される少なくとも１種である。前記微生物としてはＤＧＬＡ産生能を有する微生物であるべきであり、モルティエレラ（Mortierella）属に属する微生物が更に好ましい。
【００４２】
前記微生物としては、天然状態と比較してΔ５不飽和化活性が低下又は欠失したような、Δ５不飽和化活性が低下又は欠失した微生物（以下、「低Δ５不飽和化活性微生物」と称する。）であることが更に好ましい。ＡＲＡ生産機能を有する微生物の変異により得られるΔ５不飽和化活性が低下又は欠失した微生物であることがより更に好ましく、モルティエレラ（Mortierella）属に属し、かつ、ＡＲＡ生産機能を有する微生物における及び／又はこの微生物の変異により得られるΔ５不飽和化活性が低下又は欠失した微生物であることが更により好ましい。変異に用いられるＡＲＡ生産機能を有する微生物はとしては、ＡＲＡ生産機能を有するモルティエレラ属の微生物が好ましい。
【００４３】
ＡＲＡ生産機能を有するモルティエレラ属微生物としては、例えば、モルティエレラ・エロンガタ（Mortierella elongata) 、モルティエレラ・エキシグア（Mortierella exigua) 、モルティエレラ・ヒグロフィラ（Mortierella hygrophila) 、モルティエレラ・アルピナ（Mortierella alpina）等のモルティエレラ亜属に属する微生物を挙げられる。低Δ５不飽和化活性微生物は、ＡＲＡ生産機能を有する微生物に突然変異を導入して得ることができ、これには、Δ５不飽和化酵素活性が低下又は欠失した変異株が含まれる。
【００４４】
突然変異操作としては、放射線（Ｘ線、γ線、中性子線等）、紫外線の照射、高熱処理などの物理的な処理が挙げられる。
また、目的とする突然変異株は、突然変異操作の対象となる微生物を、変異源の存在下で一定時間インキュベートすること、及び、定法に従って寒天培地に植菌し、目的とする変異株のコロニーを得ることを含む、変異株単離方法によって得ることができる。変異株単離方法に用いられる変異源としては、ナイトロジェンマスタード、メチルメタンサルホネート（ＭＭＳ）、Ｎ−メチル−Ｎ’−ニトロソ−Ｎ−ニトロソグアニジン（ＮＴＧ）等のアルキル化剤；５−ブロモウラシル等の塩基類似体；マイトマイシンＣ等の抗生物質；６−メルカプトプリン等の塩基合成阻害剤；プロフラビン等の色素；４−ニトロキノリン−Ｎ−オキシド等の発癌剤；並びに、塩化マンガン、重クロム酸カリウム、亜硝酸、ヒドラジン、ヒドロキシルアミン、ホルムアルデヒド、ニトロフラン化合物などを挙げることができる。また突然変異操作の対象となる微生物の形態は、生育微生物菌体（菌糸など）でもよく、胞子でもよい。
【００４５】
低Δ５不飽和化活性微生物のうち、モルティエレラ属の変異株として、例えば、上述のように突然変異によって誘導された突然変異株モルティエレラ・アルピナＳＡＭ１８６０（微工研条寄第３５８９号）を使用することができる。ＳＡＭ１８６０を用いたＤＧＬＡの製造については、特開平５−０９１８８７号公報に詳細に記載されている。この製造方法の概要は以下のとおりである。
【００４６】
低Δ５不飽和化活性微生物を培養するためには、この微生物株の胞子若しくは菌糸、又は予め培養して得られた前培養液を、液体培地又は固形培地に接種し、微生物を培養する。
液体培地の場合に、グルコース、フラクトース、キシロース、サッカロース、マルトース、可溶性デンプン、糖蜜、グリセロール、マンニトール等を含む一般的に使用されている炭素源のいずれもが使用できるが、炭素源は、これらに限られるものではない。
窒素源としては、ペプトン、酵母エキス、麦芽エキス、肉エキス、カザミノ酸、コーンスティプリカー等の天然窒素源と、尿素等の有機窒素源、及び、硝酸ナトリウム、硝酸アンモニウム、硫酸アンモニウム等の無機窒素源とを用いることができる。この他に、必要に応じて、リン酸塩、硫酸マグネシウム、硫酸鉄、硫酸銅等の無機塩及びビタミン等も微量栄養源として使用できる。
液体培地の基材として使用可能な水性媒体は、基本的に水であり、蒸留水又は精製水を用いることができる。
【００４７】
これらの培地成分は、低Δ５不飽和化活性微生物の成育を害しない濃度であれば特に制限されない。実用上一般に、炭素源の濃度は０．１重量％〜３０重量％、好ましくは１重量％〜１０重量％、窒素源の濃度は０．０１重量％〜５重量％、好ましくは０．１重量％〜２重量％である。また、培養温度は５℃〜４０℃、好ましくは２０℃〜３０℃である。培地のｐＨは４〜１０、好ましくは６〜９である。培養は、通気攪拌培養、振とう培養、又は静置培養とすることができる。培養は通常２日間〜１５日間行う。通気撹拌培養における通気量は、通常、用いられる通気量をそのまま適用すればよい。
【００４８】
ＤＧＬＡの蓄積を促進するため、ＡＲＡ及び／又はＤＧＬＡ生産のための基質となる成分を培地に添加することができる。このような基質としては、テトラデカン、ヘキサデカン、オクタデカン等の炭化水素；テトラデカン酸、ヘキサデカン酸、オクタデカン酸等の脂肪酸；このような脂肪酸の塩、例えばナトリウム塩又はカリウム塩；脂肪酸エステル；脂肪酸を構成成分として含む油脂、例えばオリーブ油、大豆油、綿実油、ヤシ油；その他を挙げることができるが、これらに限られるものではない。
【００４９】
低Δ５不飽和化活性微生物の培養に用いられる固体培地としては、通常用いられる固体培地を用いることができる。このような固体培地としては、寒天培地、麦芽エキス寒天培地、麦芽寒天培地、ツァペック−ドックス寒天培地、ツァペック寒天培地、ポテトニンジン寒天培地（ＰＣＡ）、ポテトブドウ糖寒天培地（商品名「ポテトデキストロース寒天培地」、potato dextrose agar：ＰＤＡ）、サブロー寒天培地、コーンミール寒天培地等が挙げられる。培地は、培養に用いられる微生物の種類に応じて適宜選択され得る。これらの固体培地はいずれも市販品として入手可能であり、市販品の固体培地をその指示書にしたがって、そのまま使用することができる。このような固体培地のなかでも、低Δ５不飽和化活性微生物におけるＤＧＬＡの生産効率の観点から、ＰＤＡ培地であることが好ましい。
よりＤＧＬＡ／ＡＲＡの高い微生物油を生成させるために、微生物の培養に用いられる培地としては、液体培地の場合、炭素源としてはグルコース、窒素源としては酵母エキスを用いた液体培地が好ましく、固体培地の場合、ＰＤＡ培地が好ましい。
【００５０】
（３）微生物の培養
よりＤＧＬＡ／ＡＲＡの高い微生物油を生成させるためには、Δ５不飽和化酵素阻害剤の存在下で、前記微生物、好ましくは低Δ５不飽和化活性微生物を培養することが好ましい。Δ５不飽和化酵素阻害剤は、微生物細胞内で脂肪酸が生産される間に、ＡＲＡに至る合成経路中の酵素を阻害する。このため、単数又は複数のΔ５不飽和化酵素阻害剤を用いること及び／又はＡＲＡ生産によりもＤＧＬＡを好む適切な微生物、例えば、既知の原理に従った変異ＡＲＡ生産者を選択することによって、微生物細胞内におけるＡＲＡの合成を阻害し、かつ、微生物細胞内におけるＤＧＬＡの蓄積量を顕著に高めることができる。
【００５１】
いかなる既知のΔ５不飽和酵素阻害剤も、制限なく用いることができ、１種単独で用いてもよく、２種以上を組みわせて用いてもよい。ＤＧＬＡ／ＡＲＡが高い微生物油をより効率よく得るために、発明者らは、２種以上のΔ５不飽和酵素阻害剤の組み合わせの使用が好ましいことを見いだした。驚くべきことに発明者らは、これまでにない高いＤＧＬＡ／ＡＲＡ比を有する新規な微生物油を生産するという、これまで予見できなかったであろうこのような組み合わせによって、ＤＧＬＡ／ＡＲＡ比を顕著に高めることを達成できることを見いだした。
【００５２】
２種類のΔ５不飽和化酵素阻害剤を組み合わせて用いる場合、１種類目のΔ５不飽和化酵素阻害剤としては２−アミノ−Ｎ−（３−クロロフェニル）ベンズアミドを選択するのが好ましい。２−アミノ−Ｎ−（３−クロロフェニル）ベンズアミドをその他のΔ５不飽和化酵素阻害剤と組み合わせることにより、脂質の総生産量の低下を抑えて、かつ、ＤＧＬＡ／ＡＲＡの比率を大きくし得る。２−アミノ−Ｎ−（３−クロロフェニル）ベンズアミドは、ここで使用され得るΔ５不飽和酵素阻害剤効果を有するアリールベンズアミドとして既知のアントラニルアニリドであるが、この種のプロセスに有効であるとはこれまで知られていなかった。
【００５３】
２種類目のΔ５不飽和化酵素阻害剤としては、次の一般式（Ｉ）：
【００５４】
【化３】
2017502114.tif 000004
【００５５】
（式（Ｉ）中、Ｒ１、Ｒ２、Ｒ３、Ｒ４、Ｒ５、及びＲ６はそれぞれ独立に水素原子、炭素数１〜３のアルキル基を表し、あるいは、Ｒ１とＲ２、及び／又はＲ４とＲ５は一緒になってメチレン基若しくはエチレン基を表し、そしてｎ、ｍ、及びＬは０又は１を表す。）で表わされるジオキサビシクロ〔３．３．０〕オクタン誘導体、ピペロニルブトキサイド、クルクミン、次の一般式（II）：
【００５６】
【化４】
2017502114.tif 000005
【００５７】
（式（II）中、Ｒ１は低級アルキル基、例えば炭素数１〜３のアルキル基を示し、Ｒ２は水酸基、アルキル基、アルコキシ基、アルケニル基、又はオキシアルキル基を示す。Ｒ２が複数ある場合には、複数のＲ２は同一であっても異なっていてもよい。ｎは０〜５の整数を示す。）で表される化合物等が挙げられる。このようなΔ５不飽和化酵素阻害剤は、単独で又は組合せて用いることができる。
【００５８】
前記ジオキサビシクロ〔３．３．０〕オクタン誘導体としては、セサミン、セサミノール、エピセサミン、エピセサミノール、セサモリン、２−（３，４−メチレンジオキシフェニル）−６−（３−メトキシ−４−ヒドロキシフェニル）−３，７−ジオキサビシクロ〔３．３．０〕オクタン、２，６−ビス−（３−メトキシ−４−ヒドロキシフェニル）−３，７−ジオキサビシクロ〔３．３．０〕オクタン、２−（３，４−メチレンジオキシフェニル）−６−（３−メトキシ−４−ヒドロキシフェノキシ）−３，７−ジオキサビシクロ〔３．３．０〕オクタン等を挙げることができる。このようなジオキサビシクロ〔３．３．０〕オクタン誘導体を、単独で、又はいずれか２種類以上を組み合せて使用することができる。またこのようなジオキサビシクロ〔３．３．０〕オクタン誘導体は、立体異性体と組み合わせて使用してもよく、ラセミ体であってもよい。特に好ましくは、前記ジオキサビシクロ〔３．３．０〕オクタン誘導体は、セサミン及びクルクミンからなる群より選択される少なくとも１種である。このようなジオキサビシクロ〔３．３．０〕オクタン誘導体は、化学合成品であってもよく、天然物からの抽出物であってもよい。
【００５９】
培地へ添加される２−アミノ−Ｎ−（３−クロロフェニル）ベンズアミド以外のΔ５不飽和化酵素阻害剤の添加形態としては特に制限はなく、用いられるΔ５不飽和化酵素阻害剤の種類及び形態に応じて適宜選択し得る。例えば、Δ５不飽和化酵素阻害剤は、ゴマ油、落花生油、ゴマ油に対して実質的に非混和性である有機溶媒を用いてゴマ油から抽出された天然抽出物、ゴマ種子の溶剤抽出物、五加皮の抽出物、桐木の抽出物、白果樹皮の抽出物、ヒハツの抽出物、細辛の抽出物、タラゴン（Tarragon）の抽出物、イノンド種子（Dill Seed)の抽出物、パセリ（Parsley)の抽出物、ウコン（Turmeric）の抽出物、及びナツメッグ（Nutmeg）の抽出物から選択される少なくとも１種であってもよい。Δ５不飽和化酵素阻害剤が天然抽出物である場合には、これらの天然抽出物を、微生物の培養に用いる培地に添加してもよく、あるいは、微生物が培養されている培養液に、これらの天然抽出物を添加してもよい。微生物は、これらのΔ５不飽和化酵素阻害剤を含有する培地でさらに培養することも可能である。
【００６０】
Δ５不飽和化酵素阻害剤を２種以上組み合わせて用いる場合には、２−アミノ−Ｎ−（３−クロロフェニル）ベンズアミド（又は、上述で列記した他の１種類目の阻害剤のひとつ）と、前記ジオキサビシクロ〔３．３．０〕オクタン誘導体、ピペロニルブトキサイド、クルクミン及び一般式（II）で表される化合物からなる群より選択される少なくとも１種類のΔ５不飽和化酵素阻害剤との組み合わせであってもよい。ＤＧＬＡ／ＡＲＡの比率が高い微生物油を得る観点から、２−アミノ−Ｎ−（３−クロロフェニル）ベンズアミドと、前記ジオキサビシクロ〔３．３．０〕オクタン誘導体との組み合わせであることが好ましい。２−アミノ−Ｎ−（３−クロロフェニル）ベンズアミドと、セサミン、セサミノール、エピセサミン、エピセサミノール、セサモリン、２−（３，４−メチレンジオキシフェニル）−６−（３−メトキシ−４−ヒドロキシフェニル）−３，７−ジオキサビシクロ〔３．３．０〕オクタン、２，６−ビス−（３−メトキシ−４−ヒドロキシフェニル）−３，７−ジオキサビシクロ〔３．３．０〕オクタン及び２−（３，４−メチレンジオキシフェニル）−６−（３−メトキシ−４−ヒドロキシフェノキシ）−３，７−ジオキサビシクロ〔３．３．０〕オクタンからなる群より選択される少なくとも１種との組み合わせであることがより好ましい。
【００６１】
Δ５不飽和化酵素阻害剤の添加濃度は、用いられるΔ５不飽和化酵素阻害剤の種類によって異なるが、液体培地の場合には、１日あたりのΔ５不飽和化酵素阻害剤の培養液中の添加濃度は、０．０１ｇ／Ｌ〜１ｇ／Ｌであることが好ましく、０．０３ｇ／Ｌ〜０．５０ｇ／Ｌであることがより好ましい。また、固体培地の場合には、Δ５不飽和化酵素阻害剤のそれぞれの濃度は、０．０００１重量％〜０．１重量％であることが好ましく、０．００１重量％〜０．０５重量％であることがより好ましい。Δ５不飽和化酵素阻害剤を、ゴマ油又は、ゴマ油抽出物のような抽出物の形態で用いる場合、抽出物中に含まれる有効成分の量などを勘案して、培養液中のΔ５不飽和化酵素阻害剤の合計の最終濃度は、例えば、０．００１重量％〜１０重量％、好ましくは０．５重量％〜１０重量％の濃度が好ましい。Δ５不飽和化酵素阻害剤を２種以上組み合わせて使用する場合には、使用される複数のΔ５不飽和化酵素阻害剤の量の比率には特に制限はなく、このような比率は、使用されるΔ５不飽和化酵素阻害剤の種類に応じて適宜選択できる。例えば、２−アミノ−Ｎ−（３−クロロフェニル）ベンズアミドを、他のΔ５不飽和化酵素阻害剤と組み合わせて使用する場合には、２−アミノ−Ｎ−（３−クロロフェニル）ベンズアミド又は他のベンズアミドと、他のΔ不飽和化酵素阻害剤（天然抽出物の場合には天然抽出物中の有効成分）との比率は、重量比で、１００：１〜１：１００とすることができ、１０：１〜１：１０とすることが好ましく、５：１〜１：５とすることがより好ましい。
Δ５不飽和化酵素阻害剤を培地に添加する場合には、微生物による脂質の生産に影響を及ぼすことがあり、その場合は、生産への影響を低減させるために、培養液中にΔ５不飽和化酵素阻害剤を、一度に全量で添加するのではなく、分割して加えるのがよい。
【００６２】
Δ５不飽和化酵素阻害剤の添加時期については、特に制限はなく、微生物の培養期間において毎日添加してもよく、１日〜数日おきの添加であってもよい。Δ５不飽和化酵素阻害剤を１日〜数日おきに添加する場合には、添加は、等間隔であってもよく、不定期であってもよく、これらの組み合わせであってもよい。Δ５不飽和化酵素阻害剤の添加時期は、微生物の成育状態に応じて適宜選択可能である。
Δ５不飽和化酵素阻害剤を生産工程で培地に添加する場合、よりＤＧＬＡ／ＡＲＡ比の高い微生物油を生成するために、生産工程で用いられる培地としては、液体培地の場合、炭素源としてはグルコース、窒素源としては酵母エキスを用いた液体培地が好ましく、固体培地の場合、ＰＤＡ培地が好ましい。
【００６３】
生産工程に用いられる培養器については特に制限はなく、通常、微生物の培養に用いられる培養器であればいずれも使用可能である。培養器は、培養のスケールに応じて適宜選択可能である。
【００６４】
例えば、１Ｌ〜５０Ｌスケールで液体培養する場合、よりＤＧＬＡ／ＡＲＡの高い微生物油を生成するために、培養器としては、撹拌型培養器が好ましい。撹拌型培養器は、ディスクタービン型の撹拌翼を少なくとも１段有していることが好ましく、撹拌型培養器は、ディスクタービン型の撹拌翼を２段有することがより好ましい。ディスクタービン型の撹拌翼を２段有する撹拌型培養器の場合、培養器底面の培養液を効率よく撹拌することを目的として、底面に近い撹拌翼間の距離は短くてもよい。例えば、上段と下段の撹拌翼の設置位置は、適宜設定可能である。例えば、「培養器底面から下段の撹拌翼までの距離」：「下段の撹拌翼と上段の撹拌翼との間の距離」：「上段の撹拌翼から培養液面までの距離」の比が、「１」：「１〜３」：「１〜５」、好ましくは「１」：「１．５〜２」：「２〜４」となるように調節するのが好ましい。この比の好ましい例は４：７：１５である。撹拌型培養器は、Δ５不飽和化酵素阻害剤を培地に含む培養液で前記微生物を培養する場合に特に好ましい。
【００６５】
（４）培地から微生物菌体の分離及び微生物菌体から微生物油の採取
分離工程では、生産工程の間で生産されたＤＧＬＡを含む微生物油を微生物菌体から分離する。分離工程は、好ましくは、培養に用いられた培地から培養微生物菌体を分離すること（微生物菌体分離工程）、及び、培養微生物菌体からＤＧＬＡを含む微生物油を採取すること（採取工程）、すなわち、粗油を得ることを含む。
微生物菌体分離工程及び微生物油採取工程では、培養形態に応じた分離方法及び抽出方法を用いて、培養微生物菌体からＤＧＬＡを含む微生物油を採取する。
【００６６】
液体培地を使用した場合には、培養微生物菌体から、例えば、次のようにしてＤＧＬＡを含む微生物油の採取を行う。
培養終了後、培養液より、遠心分離及び濾過等の常用の固液分離手段により培養微生物菌体を得る。微生物菌体は充分水洗いし、それから、好ましくは乾燥する。乾燥は凍結乾燥、風乾、加熱乾燥等によって行うことができる。
固体培地で培養した場合には、微生物菌体と培地とを分離することなく、固体培地と微生物菌体とをホモジナイザー等で破砕し、得られた破砕物を採取工程に直接、供することができる。
【００６７】
採取工程は、微生物菌体分離工程で得られた乾燥菌体を、好ましくは窒素気流下で、有機溶媒を使用することによって抽出処理することを含むことができる。用いられる有機溶媒としては、エーテル、ヘキサン、メタノール、エタノール、クロロホルム、ジクロロメタン、石油エーテル等が含まれる。あるいは、メタノールと石油エーテルの交互抽出又はクロロホルム−メタノール−水の一層系の溶媒を用いた抽出によって、良好な結果を得ることができる。抽出物から減圧下で有機溶媒を留去することにより、高濃度のＤＧＬＡを含有する微生物油が得られる。トリグリセリドを採取する場合、ヘキサンが最も一般的に用いられる。
また、上記の方法に代えて、湿微生物菌体を用いて抽出を行うことができる。メタノール、エタノール等の、水に対して相溶性の溶媒、又はこの溶媒と水及び／又は他の溶媒と含む、水に対して相溶性の混合溶媒を使用する。その他の手順は上記と同様である。
【００６８】
採取した微生物油の粗油は、植物油、魚油などの精製に用いられる方法で精製することができる。通常行われる油脂の精製工程としては、脱ガム、脱酸、脱色及び脱臭が例示される。このような処理は、どのような方法で行ってもよい。脱ガムとしては水洗処理が例示される。脱酸処理としては、蒸留処理が例示される。脱色処理としては、活性白土、活性炭、シリカゲル等が例示される。脱臭としては、水蒸気蒸留等が例示される。
【００６９】
（５）微生物油からの脂肪酸の低級アルコールエステル及び遊離脂肪酸の製造
微生物油の構成脂肪酸として含まれるＤＧＬＡは、触媒を用いて低級アルコールのエステル型に、又は加水分解によって遊離脂肪酸型に変換することができる。低級アルコールエステル又は遊離脂肪酸は、トリグリセリドのままよりも、容易に他の脂肪酸と分離して、ＤＧＬＡを濃縮して純度を高めることができる。
【００７０】
本発明におけるジホモ−γ−リノレン酸の低級アルコールエステル又は遊離脂肪酸を製造する方法は、（ａ）微生物油の加水分解又はアルコリシスにより、遊離脂肪酸又は低級アルコールエステルを得ること、（ｂ）遊離脂肪酸又は低級アルコールエステルの混合物を精留し、炭素数が少なくとも２０の脂肪酸を有する遊離脂肪酸又は低級アルコールエステルを得ること、及び（ｃ）炭素数が少なくとも２０の脂肪酸を有する遊離脂肪酸又は低級アルコールエステルから逆相分配系のカラムクロマトグラフィーによってジホモ−γ−リノレン酸の遊離脂肪酸又は低級アルコールエステルを分画精製すること、を含む方法であってもよい。
【００７１】
本発明におけるジホモ−γ−リノレン酸の低級アルコールエステルを製造する方法は、（ａ）微生物油のアルコリシスにより、脂肪酸の低級アルコールエステルを得ること、（ｂ）脂肪酸の低級アルコールエステルの混合物を精留し、炭素数が少なくとも２０の脂肪酸の低級アルコールエステルを得ること、（ｃ）炭素数が少なくとも２０の脂肪酸の低級アルコールエステルから逆相分配系のカラムクロマトグラフィーによってジホモ−γ−リノレン酸の低級アルコールエステルを分画精製すること、を含む方法であってもよい。
【００７２】
本発明におけるジホモ−γ−リノレン酸の遊離脂肪酸を製造する方法は、（ａ）微生物油の加水分解により、遊離脂肪酸を得ること、（ｂ）遊離脂肪酸の混合物を精留し、炭素数が少なくとも２０の遊離脂肪酸を得ること、（ｃ）炭素数が少なくとも２０の遊離脂肪酸から逆相分配系のカラムクロマトグラフィーによって遊離ジホモ−γ−リノレン酸を分画精製すること、を含む方法であってもよい。
【００７３】
ここでの低級アルコールとしては、炭素数が３以下のアルコール、特にエタノール、メタノール等が例示される。ＤＧＬＡの低級アルコールエステルとしては、ジホモ−γ−リノレン酸メチル、ジホモ−γ−リノレン酸エチル等が例示される。
【００７４】
例えば、脂肪酸のメチルエステルは、無水メタノール−塩酸５％〜１０％、ＢＦ３−メタノール１０％〜５０％等により、室温にて１〜２４時間、微生物油を処理することにより得られる。脂肪酸のエチルエステルは、１％〜２０％硫酸エタノール等により、２５℃〜１００℃にて１５分〜６０分、微生物油を処理することにより得られる。ヘキサン、エーテル、酢酸エチル等の有機溶媒を用いることにより、その反応液からメチルエステル又はエチルエステルを抽出することができる。この抽出液を無水硫酸ナトリウム等により乾燥し、次いで、有機溶媒を留去することにより、脂肪酸エステルを主成分として含む組成物が得られる。
【００７５】
目的とするＤＧＬＡ低級アルコールエステルの他に、エステル化処理により得られたエステル化物中には、その他の脂肪酸低級アルコールエステルが含まれる。これらの脂肪酸低級アルコールエステルの混合物からＤＧＬＡ低級アルコールエステルを単離するには、蒸留法、精留法、カラムクロマトグラフィー、低温結晶化法、尿素包接法、液々向流分配クロマトグラフィー等を、１種単独で、又は２種以上を組み合わせて使用することができる。蒸留又は精留とカラムクロマトグラフィー又は液々向流分配クロマトグラフィーとの組み合わせが好ましい。
【００７６】
これらの方法については、通常の方法を適用することができる。カラムクロマトグラフィーとしては、逆相分配系（好ましくは、ＯＤＳ）のカラムクロマトグラフィーが好ましい。
【００７７】
ＤＧＬＡの遊離脂肪酸を得るには、上述のとおり微生物油の低級アルコールエステルを製造後、精製して純度を高めたＤＧＬＡ低級アルコールエステルを加水分解して、純度の高い遊離のＤＧＬＡを得ることができる。ＤＧＬＡ低級アルコールエステルから遊離のＤＧＬＡを得るには、アルカリ触媒で加水分解した後、エーテル、酢酸エチル等の有機溶媒を用いた抽出処理を実施すればよい。
【００７８】
あるいは、ＤＧＬＡの遊離脂肪酸は、加水分解することにより微生物油から直接得ることもできる。例えば、微生物油を、例えば５％水酸化ナトリウムにより室温にて２〜３時間、アルカリ分解して分解液を得て、この分解液から、脂肪酸の抽出又は精製に常用されている方法によって、ＤＧＬＡの遊離脂肪酸を抽出又は精製することができる。
【００７９】
上記の方法で得られたＤＧＬＡの遊離脂肪酸又は低級アルコールエステルは、本発明の微生物油を原料として製造され、このため、精製工程では除去することが困難なＡＲＡの含有率が少ない組成物である。ＡＲＡ／ＤＧＬＡ比は、１／１３未満、１／２０未満、１／３０未満；又は、更に１／５０未満、１／１００未満、１／２００未満、１／１０００未満、１／３０００未満とすることができる。すなわち、ＡＲＡの濃度は、７重量％以下、５重量％以下、３重量％以下、２重量％以下、１重量％以下、０．５重量％以下、０．１重量％以下、又は０．０３重量％以下とすることができる。医薬品用途では、ＤＧＬＡは９０重量％以上に濃縮されることが好ましい。
【００８０】
（６）微生物油を含有する微生物菌体
「微生物油を含有する微生物菌体」とは、上述のような培養によって、その細胞内に微生物油を生産する微生物の集団（バイオマス）を指す。微生物菌体が本発明の微生物油を保持する限り、微生物菌体は、微生物細胞内に蓄積された微生物油又は微生物細胞外に放出した微生物油を有する微生物菌体であってもよい。微生物菌体は本発明の微生物油を保持しているので、この微生物菌体は、油の構成脂肪酸としてＤＧＬＡを含み、ＤＧＬＡに対するＡＲＡの含有率が、重量比（ＤＧＬＡ／ＡＲＡ）で１３以上である。また更にこの微生物油は、好ましくはトリグリセリドの含有率が７０重量％以上、８０重量％以上、９０重量％以上である。
あるいは、本発明にかかる微生物菌体に含まれる微生物油のＤＧＬＡ／ＡＲＡ比は、１５以上であることが好ましく、２０以上であることがより好ましく、３０以上であることが更に好ましく、５０以上であることが更により好ましく、１００以上であることがまた更に好ましく、２００以上であることが特に好ましい。
【００８１】
微生物菌体におけるＤＧＬＡ／ＡＲＡ比は、前述したように求めた値とする。微生物菌体におけるＤＧＬＡ及びＡＲＡの測定方法は、微生物菌体又はその等価物中のＤＧＬＡ及びＡＲＡの相対重量を測定する場合に通常用いられる方法であれば、いずれも適用することができる。例えば、微生物を、成育の間に培養液から回収することができ、エステル化処理を、無水メタノール−塩酸５％〜１０％、ＢＦ３−メタノール１０％〜５０％、１％〜２０％硫酸メタノール、１％〜２０％硫酸エタノール等により、２５℃〜１００℃にて１５分〜６０分で行いうことができる。次いで、エステル体の抽出を行って又は行わずに、脂肪酸中の脂肪酸組成（％）の解析を、ガスクロマトグラフィーを用いて行うことができる。遊離脂肪酸以外の他の物質の評価のためのエステル化の場合には、０．１Ｍ〜１０Ｍの濃度で、ナトリウムメトキシド、ナトリウムエトキシド等のアルコキシドにより２５℃〜１００℃にて１５分〜６０分の処理を用いてもよい。エステル化の後にエステル体を抽出する場合には、ヘキサン等の水溶性成分と混和しない有機溶剤を用いることができる。
【００８２】
また、本微生物は、微生物油に関して既述したトリグリセリドの含有率、炭素数が１８より少ない脂肪酸の含有率、リン脂質の含有率、飽和脂肪酸の含有率等の条件の少なくとも１つ、好ましくは２つ以上の任意の組み合わせを満たす油を提供可能な微生物であることが好ましい。
【００８３】
（７）微生物油を含有する微生物菌体を含む培養液
「微生物油を含有する微生物菌体を含む培養液」とは、上述した微生物油の製造方法によって成育した微生物を培養液から分離する前の培養液を意味する。従って、この培養液には、上述のＤＧＬＡ及び、ＤＧＬＡ／ＡＲＡ比が１３以上の微生物油が含まれる。この培養液から、微生物油を採取するためには、培養液は、乾燥菌体重量として２．５ｇ／リットル（Ｌ）以上の微生物含有率を有することが好ましい。更に、微生物含有培養液における微生物の含有率は、乾燥菌体重量として５ｇ／Ｌ以上であることが好ましく、３０ｇ／Ｌ以上であることがより好ましく、６０ｇ／Ｌ以上であることが更に好ましい。このような培養液からＤＧＬＡ／ＡＲＡ比が高い微生物油を効率よく得ることができる。
【００８４】
また、培養液における微生物菌体中の微生物油を考慮すれば、培養液には、前述した微生物由来の油であって、０．４ｇ／Ｌ以上の、より好ましくは０．８ｇ／Ｌ以上の含有率でＤＧＬＡ含有油を含むことが好ましい。微生物由来のＤＧＬＡを含む油の含有率が０．４ｇ／Ｌ以上であれば、生産コスト低減、品質安定性の向上等の利点が得られる傾向がある。
【００８５】
前記微生物は、培養により成育され、微生物細胞内においてＤＧＬＡを生産する。このため、培養工程中の微生物を含む培養液をそのまま回収することにより、微生物含有培養液を得ることができる。また、培養工程中の微生物の微生物細胞内では、ＤＧＬＡを含む微生物油が生成されるため、培養工程中の微生物を含む培養液をそのまま回収する、又は、培養液中の微生物を破砕等により破壊し、微生物油が培養液中に放出された培養液を回収することにより、微生物油含有培養液を得ることができる。更に、前記微生物油含有培養液及び微生物含有培養液に含まれる培養液については、前述した事項をそのまま適用することができる。
【００８６】
［用途］
本発明によれば、ＤＧＬＡを含む微生物油、低級アルコールエステル、遊離脂肪酸、及び微生物含有培養液は、それぞれ、ＤＧＬＡに対するＡＲＡの比率が従来既知のものよりも低いものとすることができる。このため、これらはいずれも、ＤＧＬＡを高い純度で要求される用途、又は少ないＡＲＡ含有率が好まれる用途に極めて有用である。このような用途としては、例えば、食品、サプリメント、医薬品、化粧品、動物飼料等を挙げられる。ＡＲＡの含有率が高いＤＧＬＡ含有微生物油と比較して、このＤＧＬＡ含有微生物油は低いＡＲＡ含有率を有するので、微生物油におけるＡＲＡの量を、同じ量の微生物油及びＤＧＬＡを使用する際に、減らすことができる。したがって、ＤＧＬＡの機能性を目的とする用途が特に好ましく、このような用途としては、上述したように、例えば、特に局所用途の抗炎症及び抗アレルギー等の用途が挙げられる。
【００８７】
上述したように、微生物油、低級アルコールエステル組成物又は遊離脂肪酸組成物を含む又はこれらからなる医薬品は、通常、局所的又は経口的に、好ましくは局所投与されてもよい。治療、予防又は寛解すべき炎症性疾患又はアレルギー疾患としては、例えば、いかなる皮膚の炎症も挙げることができるが、これに限定されない。皮膚の炎症は、発疹、蕁麻疹、水疱、及び膨疹からなる群より選択される少なくとも１つの皮膚の炎症であってよく、又は湿疹、放射線への曝露、自己免疫疾患及び尿毒症性そう痒からなる群より選択される少なくとも１つにより引き起こされる皮膚の炎症であってもよい。
特に、皮膚の炎症は、アトピー性湿疹、接触皮膚炎、乾癬、又は尿毒症性そう痒に伴う、又はこれらにより引き起こされる皮膚の炎症であってもよい。
【００８８】
医薬品は、湿疹に関連する皮膚の炎症の治療、予防又は寛解に用いてもよい。用語「湿疹」は、多様な病因を有する幅広い皮膚の状態に適用される。一般に湿疹は、表皮の炎症によって分類される。湿疹に関連する一般的な症状としては、乾燥、繰り返し発症する皮膚の発疹、赤み、皮膚浮腫（腫れ）、かゆみ、乾燥、かさぶた形成（ｃｒｕｓｔｉｎｇ）、剥落、水疱形成、亀裂、滲出、及び出血が挙げられる。湿疹としては、アトピー性湿疹（アトピー性皮膚炎）、接触皮膚炎、乾燥性湿疹、脂漏性皮膚炎、発汗障害、円盤状湿疹、静脈性湿疹、疱疹性皮膚炎、神経皮膚炎、及び自己湿疹化が挙げられる。湿疹は、代表的に、アトピー性湿疹又は接触皮膚炎である。
【００８９】
アトピー性湿疹は、主として、アレルゲンの接触又は取り込みによりさらに悪化し、このアレルゲンとしては、動物の毛及びふけ、食物アレルゲン（例えば、木の実もしくは貝・甲殻類）、又は薬物（例えば、ペニシリン）が挙げられる。
接触皮膚炎としては、アレルギー性接触皮膚炎、刺激性接触皮膚炎、及び光接触皮膚炎が挙げられる。光接触皮膚炎には、光毒性接触皮膚炎及び光アレルギー性接触皮膚炎が含まれる。
皮膚の炎症は、電磁放射線への皮膚の曝露により引き起こされる皮膚の炎症であってよい。これには、例えば、太陽光、熱、Ｘ線、又は放射性物質への曝露が挙げられる。従って、医薬品は、日焼けを処置するために又は日焼けの処理用に使用される。
電磁放射線としては、電波、マイクロ波、テラヘルツ波、赤外線、可視光線、紫外線、Ｘ線及びガンマ線が挙げられる。電磁放射線は、好ましくは、赤外線、可視光線、紫外線、Ｘ線及びガンマ線、より好ましくは、紫外線、Ｘ線及びガンマ線である。
【００９０】
自己免疫疾患は、皮膚に対する自己免疫応答に関与し得る。そのような自己免疫疾患の例としては、狼瘡及び乾癬である。
尿毒症性そう痒は、慢性腎不全に関連する皮膚の障害である。それはまた、透析処置を受けている患者に頻繁に影響する。
場合によって、ここでの微生物油、低級アルコールエステル組成物又は遊離脂肪酸組成物は、コルチコステロイド又は、上述した医薬用途に用いられる他のいかなる治療剤と共に、これらの使用のために、又はこれらと同時投与されてもよい。
【００９１】
本発明の他の態様では、炎症性疾患は、アトピー性皮膚炎、アレルギー性接触皮膚炎（ＡＣＤ）、一次刺激性接触皮膚炎（ＩＣＤ）、光接触皮膚炎、全身性接触皮膚炎、リウマチ、乾癬、狼瘡等からなる群より選択される少なくとも１つであってもよい。
【００９２】
炎症性／アレルギー疾患の治療のための医薬品は、炎症性／アレルギー疾患による症状が見出されている又は疑われる場合に、１以上の症状を抑制し、又は緩和するための医薬品をいうと理解されるべきである。一方、炎症性／アレルギー疾患の予防のための医薬品とは、炎症性／アレルギー疾患により予期される又は見込まれる１つ以上の症状の発症を、典型的には予め投与することによって、抑制するために用いられる医薬品である。ただし、「治療のための医薬品」及び「予防のための医薬品」の用語は、臨床診療に従って、使用時期及び／又は使用の際に治療／予防される症状のような複合的又一般的な局面を考慮すべきであり、限定的に適用されるべきでない。
【実施例】
【００９３】
以下、本発明を実施例にて詳細に説明する。しかしながら、本発明はそれらに何ら限定されるものではない。なお下記実施例において、特記しない場合、「％」は「重量％」を意味する。
【００９４】
［実施例１］
微生物菌体により産生される脂肪酸に対する各種Δ５不飽和化酵素阻害剤の効果：１
５通りの平板培地、即ち、Δ５不飽和化酵素阻害剤添加なしの平板培地Ａ、セサミン０．００５重量％添加の平板培地Ｂ、セサミン０．０１重量％添加の平板培地Ｃ、セサミン０．０２重量％添加の平板培地Ｄ、セサミン０．０１重量％及び２−アミノ−Ｎ−（３−クロロフェニル）ベンズアミド０．０１重量％添加の平板培地Ｅを、ポテトデキストロース寒天培地（商品名、日水製薬株式会社）に対して上記の濃度となるようにΔ５不飽和化酵素阻害剤を添加せず又は添加した以外は、ポテトデキストロース寒天培地の製品取扱説明書に従って、それぞれ作製した。各平板培地のサイズはいずれも、直径９０ｍｍ、厚さ５ｍｍであった。
【００９５】
平板培地Ａ〜Ｅに、モルティエレラ・アルピナ（Mortierella alpina）の突然変異株ＳＡＭ１８６０の胞子懸濁液１００μＬをそれぞれ接種し、温度２８℃、７日間、静置培養した。
培養終了後、各平板培地を微生物菌体と共に、約１ｃｍ画に細断し、フラスコに移した。次いで、ヘキサンを平板あたり５０ｍＬ加え、得られた混合物を２分間ホモジナイズすることで有機溶媒混合液を得た。有機溶媒混合液を遠心分離（２０００ｒｐｍ、８１０Ｇ）し、上層のヘキサンを回収した。次いで、溶媒を留去して、各平板培地１枚当たり約４０ｍｇの微生物油Ａ〜Ｅを得た。
【００９６】
微生物油Ａ〜Ｅそれぞれ０．５ｍｇに、１０％（ｖ／ｖ）硫酸エタノール溶液をそれぞれ０．１０ｍＬ加え、８０℃にて３０分間反応させてエチルエステル化した。反応液の中和を目的として１．０Ｍ水酸化ナトリウムエタノール溶液０．１８ｍＬを添加し、次いで、ヘキサン０．０５ｍＬ、飽和食塩水０．３０ｍＬを添加して抽出を行い、これにより、それぞれ、脂肪酸エチルエステルＡ〜Ｅを得た。脂肪酸エチルエステル組成物Ａ〜Ｅ中の脂肪酸組成（％）を、ガスクロマトグラフィーを用いて分析した。ガスクロマトグラフィーの分析条件は、以下の通りである。表１にガスクロマトグラフィーの結果を示す。なお、脂肪酸組成（％）は、ガスクロマトグラムに基づく面積比である。
【００９７】
ガスクロマトグラフィー分析条件
機種：Agilent 6850 GC system（Agilent Technologies社)
カラム：ＤＢ−ＷＡＸ  （Agilent Technologies、３０ｍ×０．２５ｍｍ  ＩＤ、０．２５μｍ  film thickness）Ｊ＆Ｗ  １２２−７０３２
カラムオーブン：１８０℃−３℃／ｍｉｎ−２３０℃（２５ｍｉｎ）
注入温度：２７０℃
注入方法：スプリット
スプリット比：２０：１
検出器温度：２７０℃
検出器：ＦＩＤ
キャリアーガス：ヘリウム（１．０ｍＬ／ｍｉｎ、コンスタントフロー)
【００９８】
【表１】
2017502114.tif 000006
【００９９】
表１に示されるように、微生物油Ｅを原料として用いた脂肪酸エチルエステルＥでは、ＤＧＬＡ／ＡＲＡ比が実質的に１３を超えており、この比率は、公知のＳＡＭ１８６０株を１種類のΔ５不飽和化酵素阻害剤の存在下で培養して得られた微生物油Ａ、微生物油Ｂ、微生物油Ｃ及び微生物油Ｄのいずれよりも高かった。なお、微生物油Ｅから３３．８ｍｇの脂肪酸エステルＥが得られた。
【０１００】
［実施例２］
微生物菌体により産生される脂肪酸に対する各種Δ５不飽和化酵素阻害剤の効果：２
全容５００ｍＬのヒダ付三角フラスコに、グルコース２％及び酵母エキス１％を含む培地（ｐＨ６．０）１００ｍＬを入れ、次いで、４通りの培養液、すなわち、Δ５不飽和化酵素阻害剤添加なしの培養液Ｆ、セサミン１０ｍｇ添加の培養液Ｇ、２−アミノ−Ｎ−（３−クロロフェニル）ベンズアミド１０ｍｇ添加の培養液Ｈ、セサミン１０ｍｇ及び２−アミノ−Ｎ−（３−クロロフェニル）ベンズアミド１０ｍｇ添加の培養液Ｉを調製した。振盪培養器としては、I-26 Stackable Shakers（New Brunswick Scientific社）を用いた。
【０１０１】
培養液Ｆ〜Ｉそれぞれを１２１℃で１５分間殺菌後、モルティエレラ・アルピナ（Mortierella alpina）の突然変異株ＳＡＭ１８６０の前培養液１ｍＬを各培養液に接種し、温度２８℃、回転数２００ｒｐｍで１５日間振盪培養した。５日目及び１０日目に、殺菌したセサミン１０ｍｇを培養液Ｇに添加し、殺菌した２−アミノ−Ｎ−（３−クロロフェニル）ベンズアミド１０ｍｇを培養液Ｈに添加し、殺菌したセサミン５０ｍｇと２−アミノ−Ｎ−（３−クロロフェニル）ベンズアミド１０ｍｇの組み合わせを培養液Ｉに添加した。培養後、遠心分離により微生物菌体を回収した。充分水洗した後、微生物菌体を凍結乾燥した。培養液Ｆから３．２ｇの乾燥菌体（乾燥菌体Ｆ）を得た。培養液Ｇから２．５ｇの乾燥菌体（乾燥菌体Ｇ）を得た。培養液Ｈから０．６ｇの乾燥菌体（乾燥菌体Ｈ）を得た。培養液Ｉから０．６ｇの乾燥菌体（乾燥菌体Ｉ）を得た。
【０１０２】
乾燥菌体Ｆ〜Ｉ各々に、１７５ｍＬのヘキサンを加え、室温下で３０分間撹拌して脂質を抽出し、得られた混合液を濾過して微生物細胞と抽出液を得た。この操作を３度繰り返してヘキサン抽出液を得た。ヘキサン抽出液を減圧下、ロータリーエバポレーターで濃縮した。乾燥菌体Ｆから６１３．２ｍｇの微生物油、微生物油Ｆを得た。乾燥菌体Ｇから３２８．３ｍｇの微生物油、微生物油Ｇを得た。乾燥菌体Ｈから７７．７ｍｇの微生物油、微生物油Ｈを得た。乾燥菌体Ｉから１０５．３ｍｇの微生物油、微生物油Ｉを得た。
【０１０３】
微生物油Ｆ〜Ｉのうちのそれぞれの微生物油０．５ｍｇに対し、１０％（ｖ／ｖ）硫酸エタノール溶液を０．１０ｍＬ加え、８０℃にて３０分間エチルエステル化を行った。中和のために反応後の液に１．０Ｍ水酸化ナトリウムエタノール溶液を０．１８ｍＬ加えた。次いで、抽出のために、ヘキサンをそれぞれ０．０５ｍＬ、飽和食塩水を０．３０ｍＬ加えた。微生物油Ｆから５３３．２ｍｇの脂肪酸エチルエステル、脂肪酸エチルエステルＦを得た。微生物油Ｇから２８５．４ｍｇの脂肪酸エチルエステル、脂肪酸エチルエステルＧを得た。微生物油Ｈから６７．６ｍｇの脂肪酸エチルエステル、脂肪酸エチルエステルＨを得た。微生物油Ｉから９１．６ｍｇの脂肪酸エチルエステル、脂肪酸エチルエステルＩを得た。得られた脂肪酸エチルエステルＦ〜Ｉ中の脂肪酸比率を、ガスクロマトグラフィーを用いて実施例１と同様にして分析した。表２にガスクロマトグラフィーの結果を示す。なお、脂肪酸組成（％）は、上述したようにガスクロマトグラムに基づく面積比である。
ガスクロマトグラフィーの分析条件は、実施例１と同様である。
【０１０４】
表２に示されるように、微生物油Ｉを原料として用いた脂肪酸エチルエステルＩでは、ＤＧＬＡ／ＡＲＡ比が１３を超えており、この値は、公知のＳＡＭ１８６０株を培養することによって、又は、ＳＡＭ１８６０株を１種類のΔ５不飽和化酵素阻害剤の存在下で培養することによってそれぞれ得られた微生物油Ｆ、微生物油Ｇ及び微生物油Ｈのいずれよりも高かった。
【０１０５】
【表２】
2017502114.tif 000007
【０１０６】
［実施例３］
微生物菌体が産生する脂肪酸に対する各種Δ５不飽和化酵素阻害剤の効果：３
ディスクタービン型撹拌翼を２段有する１Ｌジャー・ファーメンターを用意した。ジャー・ファーメンターにおける撹拌翼の位置と収容する培養液（５００ｍＬ）の液面との関係が、「培養器底面から下段の撹拌翼までの距離」：「下段の撹拌翼から上段の撹拌翼までの距離」：「上段の撹拌翼から培養液面までの距離」＝４：７：１５となるように、ジャー・ファーメンターにおける撹拌翼の位置を調節した。
４つの１Ｌジャー・ファーメンターに、グルコース２％及び酵母エキス１％を含む培地（ｐＨ６．０）５００ｍＬを入れ、以下の４通りの培養液を調製した：Δ５不飽和化酵素阻害剤添加なしの培養液Ｊ、セサミン５０ｍｇ添加の培養液Ｋ、２−アミノ−Ｎ−（３−クロロフェニル）ベンズアミド５０ｍｇ添加の培養液Ｌ、セサミン５０ｍｇ及び２−アミノ−Ｎ−（３−クロロフェニル）ベンズアミド５０ｍｇ添加の培養液Ｍ。
【０１０７】
培養液Ｊ〜Ｍそれぞれを１２０℃で２０分間殺菌後、モルティエレラ・アルピナ（Mortierella alpina）のΔ５不飽和化酵素欠損株の前培養液２０ｍＬを各培養液に接種し、温度２８℃、通気量０．６ｖ．ｖ．ｍで１２日間、通気攪拌培養を行った。３日目、４日目、５日目、６日目、７日目、１０日目及び１１日目に、培養液Ｋに殺菌したセサミン５０ｍｇを添加し、殺菌した２−アミノ−Ｎ−（３−クロロフェニル）ベンズアミド５０ｍｇを培養液Ｌに添加し、殺菌したセサミン５０ｍｇと２−アミノ−Ｎ−（３−クロロフェニル）ベンズアミド５０ｍｇの組み合わせを培養液Ｍに添加した。培養後、遠心分離により微生物菌体を回収した。充分水洗した後、微生物菌体を凍結乾燥した。２．９ｇの乾燥菌体（乾燥菌体Ｊ）を培養液Ｊから得た。２．９ｇの乾燥菌体(乾燥菌体Ｋ）を培養液Ｋから得た。１．５ｇの乾燥菌体（乾燥菌体Ｌ）を培養液Ｌから得た。２．９ｇの乾燥菌体（乾燥菌体Ｍ）を培養液Ｍから得た。
【０１０８】
これらの乾燥菌体Ｊ〜Ｍに、各々１７５ｍＬのヘキサンを加え、室温下で３０分間撹拌して、次いで、得られた混合物を濾過して、抽出液と微生物細胞を得た。この操作を３度繰り返してヘキサン抽出液を得た。ヘキサン抽出液を、減圧下、ロータリーエバポレーターで濃縮した。乾燥菌体Ｊから５５２．０ｍｇの微生物油、微生物油Ｊを得た。乾燥菌体Ｋから３７９．５ｍｇの微生物油、微生物油Ｋを得た。乾燥菌体Ｌから１９５．５ｍｇの微生物油、微生物油Ｌを得た。乾燥菌体Ｍから５５２．０ｍｇの微生物油、微生物油Ｍを得た。得られた微生物油Ｊ〜Ｍ中の脂質の種類及び含有率を、薄層クロマトグラフィー／水素炎イオン化検出器法（ＴＬＣ／ＦＩＤ法)（イアトロスキャン（商品名（以下同じ）、三菱化学メディエンス株式会社））により分析した。
【０１０９】
また、微生物油Ｊ〜Ｍのそれぞれの微生物油０．５ｍｇに対し、１０％硫酸エタノール溶液を０．１０ｍＬ加え、エチルエステル化のために８０℃にて３０分間反応を行った。中和を目的として反応後に１．０Ｍ水酸化ナトリウムエタノール溶液０．１８ｍＬを添加した。次いで、ヘキサン０．０５ｍＬ、及び飽和食塩水０．３０ｍＬを加えて抽出した。微生物油Ｊから４８０．０ｍｇの脂肪酸エチルエステル、脂肪酸エチルエステルＪを得た。微生物油Ｋから３３０．０ｍｇの脂肪酸エチルエステル、脂肪酸エチルエステルＫを得た。微生物油Ｌから１７０．０ｍｇの脂肪酸エチルエステル、脂肪酸エチルエステルＬを得た。微生物油Ｍから４８０．０ｍｇの脂肪酸エチルエステル、脂肪酸エチルエステルＭを得た。得られた脂肪酸エチルエステルＪ〜Ｍ中の脂肪酸の種類及び含有率を、ガスクロマトグラフィーにより分析した。
【０１１０】
表３にイアトロスキャン及びガスクロマトグラフィーを用いて得られた結果を示す。
イアトロスキャンの分析条件、及びガスクロマトグラフィーの分析条件は、以下の通りである。
イアトロスキャン分析条件
展開溶媒：
０−３ｍｉｎ．  ＣＨＣｌ３：ＭｅＯＨ＝９５：５（ｖ／ｖ）
３−２３ｍｉｎ．  ヘキサン：ジエチルエーテル：ギ酸＝９０：１０：０．２（ｖ／ｖ）
試料濃度：１０ｍｇ／ｍＬ
添加量：５μＬ
【０１１１】
ガスクロマトグラフィー分析条件
機種：Agilent 7890 GC system (Agilent Technologies社)
カラム：ＤＢ−ＷＡＸ  （Agilent Technologies、３０ｍ×０．２５ｍｍ  ＩＤ、０．２５μｍ  film thickness）Ｊ＆Ｗ  １２２−７０３２
カラムオーブン：１８０℃−３℃／ｍｉｎ−２３０℃（２５ｍｉｎ）
注入温度：２７０℃
注入方法：スプリット
スプリット比：２０：１
検出器温度：２７０℃
検出器：ＦＩＤ
キャリアーガス：ヘリウム (１．０ｍＬ／ｍｉｎ、コンスタントフロー)
【０１１２】
表３から明らかなように、本実施例で用いたMortierella alpinaに属するΔ５不飽和化酵素欠損株を、単独で培養した場合（微生物油Ｊ）、Δ５不飽和化酵素阻害剤１種の存在下で培養した場合（微生物油Ｋ及び微生物油Ｌ）並びに、Δ５不飽和化酵素阻害剤２種の存在下で培養した場合（微生物油Ｍ）、ＤＧＬＡ／ＡＲＡ比が１５以上であった。
【０１１３】
これらの微生物油のなかでも、１種類のΔ５不飽和化酵素阻害剤のみを添加した微生物油Ｌでは、培養液中の総脂重量が低下するものの、２種類のΔ５不飽和化酵素阻害剤を併用した微生物油Ｍでは、培養液中の総脂重量の低下も抑制されるという、予想外の効果も見られた。
【０１１４】
【表３】
2017502114.tif 000008
【０１１５】
［実施例４］
（１）精留による脂肪酸エチルエステルの精製
実施例３で得られた脂肪酸エチルエステルＪ、Ｋ、Ｍをそれぞれ、減圧下での精留工程に付して、炭素数２０以上の脂肪酸に由来する脂肪酸エチルエステルJ、Ｋ、Ｍを主成分とする留分をそれぞれ得た（それぞれ、脂肪酸エチルエステル画分Ｊ、Ｋ、Ｍ）。
【０１１６】
表４にその結果を示す。表４から明らかなように、実施例のセサミンと２−アミノ−Ｎ−（３−クロロフェニル）ベンズアミドの添加によってＤＧＬＡ／ＡＲＡ比を２８３６に制御されたエチルエステルを精留することによって、炭素数２０以上を有し、ＡＲＡが極めて低い脂肪酸エステル画分が得られた。
【０１１７】
【表４】
2017502114.tif 000009
【０１１８】
（２）カラムクロマトグラフィーによる脂肪酸エチルエステルの精製
精留後の表４の組成の脂肪酸エチルエステルＪ、Ｋ、Ｍに対して、更に、ＯＤＳ（Octa Decyl Silyl）−ＨＰＬＣを用いた高度精製を実施した。分離条件は、以下の通りである。
分離条件
カラム：ＯＤＳ  ＡＱ  Ｓ−５０  １２ｎｍ（YMC Corp. Ltd．社）、２０φ×３００ｍｍ
溶離液：メタノール
流速：２５ｍＬ／ｍｉｎ
カラム温度：４０℃
サンプル負荷量：１．４２ｇ
検出器：紫外可視分光計及び示差屈折計
【０１１９】
ＨＰＬＣ歩留が６５％の場合における各脂肪酸エチルエステル画分のＯＤＳ−ＨＰＬＣ精製後の脂肪酸組成を表５に示す。なお、脂肪酸組成（％）は、上述したように、ガスクロマトグラムに基づく面積比である。
【０１２０】
【表５】
2017502114.tif 000010
【０１２１】
表５から明らかなように、脂肪酸エチルエステル画分（Ｊ、Ｋ、Ｍ）のそれぞれについて、ＯＤＳ−ＨＰＬＣ精製は、ＤＧＬＡの含有比率を高めることができた。特に脂肪酸エチルエステル画分Ｍでは、９５重量％以上の純度を達成できた。
【０１２２】
一方、ＤＧＬＡの更に高純度な精製によって得られた脂肪酸エチルエステル画分においても、ＤＧＬＡ／ＡＲＡ比は、精製前の粗油の場合のＤＧＬＡ／ＡＲＡ比と比較して大きな変化がなかった。精製工程でＤＧＬＡとＡＲＡを分離するのは困難であることがわかる。このため、ＡＲＡ含有量の少ない高濃度のＤＧＬＡエチルエステルを得るために、より早い段階で、ＤＧＬＡ／ＡＲＡ比を高めておくことが有効であることがわかった。
特に、微生物における成育の間に、２種類のΔ５不飽和化酵素阻害剤（例えばセサミンと２−アミノ−Ｎ−（３−クロロフェニル）ベンズアミド）を組み合わせて添加しながら箘株を培養することが有効であることがわかった。
【０１２３】
したがって、本発明は、ＤＧＬＡ／ＡＲＡ比の高い油を含有する微生物及び微生物油を提供し、更にこのような微生物及び微生物油から得られる低級アルコールエステル及び遊離脂肪酸を提供することがわかった。
【産業上の利用可能性】
【０１２４】
本発明のＤＧＬＡ含有微生物油はアラキドン酸の含有比率が少ない。したがって、特定の量のＤＧＬＡを投与する場合にアラキドン酸の影響が少なくすることができる。アラキドン酸が望ましくない用途、例えば抗アレルギー剤、抗炎症剤の用途に適した組成物を提供することができる。
【国際調査報告】
2017502114.tif 000013
2017502114.tif 000014
2017502114.tif 000015
2017502114.tif 000016
2017502114.tif 000017
2017502114.tif 000018